(57)【要約】【課題】比較的小さな床面積と比較的小さな騒音を維持しながら比較的大きな容量を備えた空気処理装置を提供する。【解決手段】  本空気処理装置は、比較的大容量であるが、床面積が小さく、低騒音である。本空気処理装置は、垂直方向に延在する吸い込みチャンバ３０と吹き出しチャンバ３２とを形成するハウジング１２を有する。送風機１８は、吸い込みチャンバ３０内に配設され、本空気処理装置内で空気を流通させる。略平面的なフィルター２２，２４が吹き出しチャンバ３２内において後壁５０から離れて配設されて、プレナム室１８０を形成している。このハウジング１２の後壁５０は、曲面とされ、フィルター面に一定空気圧を作用するような形状とされている。本空気処理装置は、床上に設置または壁面に垂直方向または水平方向に設置される。さらに、本空気処理装置は、所定時間全速運転し、その後自動的に先の運転速度に戻るコントロールメカニズムを有する。【選択図】図１
2006035220.tif 000002
【特許請求の範囲】
【請求項１】
吸い込みチャンバと、壁を有する吹き出しチャンバとを備えた内部空間を形成するとともに、該吸い込みチャンバと吹き出しチャンバとの間に送風機用開口を備えたハウジングと、
前記吸い込みチャンバから前記吹き出しチャンバへ空気を流通させるために前記吸い込みチャンバ内に配設された送風機と、
前記吹き出しチャンバ内において、前記壁に対して間隔を置いて対向して配置され、このように配置されることにより前記壁との間にプレナム室を形成するフィルタエレメントとを有し、
該プレナム室は、前記送風機からの空気を受け入れるとともに、前記送風機用開口から離れるに従い断面積が減少するように形成され、
この断面積の減少程度が、前記フィルターエレメントの面に一定の空気圧を作用するように選択されてなることを特徴とする空気処理装置。
【請求項２】
前記吹き出しチャンバの前記壁が曲面に形成されて、前記送風機用開口から離れるに従い前記プレナム室の断面積を減少させ、該曲面が前記フィルターエレメントの面に一定空気圧を作用するように選択されていることを特徴とする請求項１記載の空気処理装置。
【請求項３】
前記ハウジングは、前記吸い込みチャンバ内に外部空気を吸いこむ吸い込み口を有し、前記送風機は、該吸い込み口に対し間隔を置いて対面させ、これにより送風機音の放散を軽減したことを特徴とする請求項２記載の空気処理装置。
【請求項４】
前記送風機は、前記プレナム室内の空気を前記フィルターの面と略平行な方向に流通させることを特徴とする請求項３記載の空気処理装置。
【請求項５】
前記吸い込みチャンバは、全体的に前記吹き出しチャンバの上に配設されていることを特徴とする請求項４記載の空気処理装置。
【請求項６】
前記ハウジングは、前記吹き出しチャンバから空気を吹き出すための吹き出し口を有し、該吹き出し口は前記吸い込み口よりも大きく形成されて、前記ハウジングに吸い込まれる風速が前記吹き出しグリルから吹き出される風速よりも高速であることを特徴とする請求項５記載の空気処理装置。
【請求項７】
前記ハウジングは、奥行きが高さの２５パーセントより大きくなく、かつ幅の５０パーセントより大きくないことを特徴とする請求項６記載の空気処理装置。
【請求項８】
吸い込みチャンバと、壁を有する吹き出しチャンバとを備えた内部空間を形成するとともに、さらに、該吸い込みチャンバに連通する吸い込み口と、該吹き出しチャンバに連通し、かつ、該吸い込み口より大きい断面積である吹き出し口とを備えたハウジングと、
前記吹き出しチャンバ内に取り付けられたフィルターエレメントと、
前記ハウジング内に取り付けられ、さらに、前記吸い込みチャンバに連通する送風機の吸い込み口と前記吹き出しチャンバに連通する送風機の吹き出し口とを有し、運転時前記吸い込みチャンバから前記吹き出しチャンバへ空気を流通させる送風機とを有することを特徴とする空気処理装置。
【請求項９】
前記フィルターエレメントは、垂直方向に延在し、かつ前記吹き出しチャンバにおいて前記プレナム室を形成する後壁から離れた位置となるように配設され、前記送風機が前記プレナム室内の空気を前記フィルター面と平行に流通させることを特徴とする請求項８記載の空気処理装置。
【請求項１０】
前記後壁が曲面に形成されて、前記送風機の吹き出し口から離れるに従い前記プレナム室の断面積を減少させ、該曲面が前記フィルターエレメントの面に一定空気圧を作用するように選択されていることを特徴とする請求項９記載の空気処理装置。
【請求項１１】
前記送風機は前記吸い込みグリルから離れた位置で空気を吸いこみ、これにより送風機音の放散を軽減したことを特徴とする請求項１０記載の空気処理装置。
【請求項１２】
前記吸い込み口の断面積は、前記吹き出し口の断面積の５０パーセントより大きくないことを特徴とする請求項１１記載の空気処理装置。
【請求項１３】
略垂直方向に延在する吸い込みチャンバと、略垂直方向に延在する後壁を有する吹き出しチャンバとに隣接して内部空間を形成する略垂直方向に延在するハウジングと、
前記吹き出しチャンバ内において、略垂直方向に延在し、前記後壁に対して間隔を置いて対向して配置されてプレナム室を形成するフィルタエレメントと、
前記ハウジング内に取り付けられ、かつ、前記吸い込みチャンバに連通する吸い込み口と前記プレナム室に連通する吹き出し口とを備え、運転時前記吸い込みチャンバから前記プレナム室に空気を流通させ、前記フィルターエレメントの面と平行な方向に前記プレナム室内へ空気を流通させる送風機とを有することを特徴とする空気処理装置。
【請求項１４】
前記ハウジングは、奥行きが高さの２５パーセントより大きくなく、かつ幅の５０パーセントより大きくないことを特徴とする請求項１３記載の空気処理装置。
【請求項１５】
前記吸い込みチャンバと前記吹き出しチャンバとが互いに垂直方向に積み重ねられていることを特徴とする請求項１４記載の空気処理装置。
【請求項１６】
前記吸い込みチャンバは、全体的に前記吹き出しチャンバの上に配設されていることを特徴とする請求項１５記載の空気処理装置。
【請求項１７】
前記吹き出しチャンバの後壁が曲面に形成されて、前記送風機用開口から離れるに従い前記プレナム室の断面積を減少させ、該曲面が前記フィルターエレメントの面に一定空気圧を作用するように選択されていることを特徴とする請求項１６記載の空気処理装置。
【請求項１８】
前記ハウジングは、前記吸い込みチャンバ内に外部空気を吸いこむ吸い込み口を有し、前記送風機は、該吸い込み口に対し間隔を置いて対面する吸い込み口を有し、これにより送風機音の放散を軽減したことを特徴とする請求項１７記載の空気処理装置。
【請求項１９】
前記送風機は、前記フィルターの面と略平行方向に前記プレナム室内へ空気を流通させることを特徴とする請求項１８記載の空気処理装置。
【請求項２０】
前記ハウジングは、前記吹き出しチャンバから空気を吹き出すための吹き出し口を有し、該吹き出し口は前記吸い込み口よりも大きく形成されて、前記ハウジングに吸い込まれる風速が前記ハウジングから吹き出される風速よりも高速であることを特徴とする請求項１９記載の空気処理装置。
【請求項２１】
前記吸い込み口の断面積は、前記吹き出し口の断面積の５０パーセントより大きくないことを特徴とする請求項２０記載の空気処理装置。
【請求項２２】
ハウジングと，
該ハウジング内に取り付けられたフィルターと、
前記ハウジング内に取り付けられ、前記フィルターを介して空気を流通させる送風機と、
該送風機の運転をコントロールする制御手段とを有し、
該制御手段は、時間の経過を記録するタイミング回路と、送風機の速度をコントロールする送風機速度制御回路とを有し、
さらに、該制御手段は、送風機速度の選択を許容する入力手段を有し、また、一つのボタン操作で所定時間中、前記送風機を最大速度で運転させ、時間経過後に元の選択速度に帰還する運転モードを備えていることを特徴とする空気処理装置。
【請求項２３】
前記制御手段は、前記フィルターの状態を監視し、この状態に応じ送風機の速度を増加することにより該フィルターの全寿命を通じ一定風量を提供することを特徴とする請求項２２記載の空気処理装置。
【請求項２４】
前記送風機は直流モータを有し、前記制御手段は、該モータに供給される指令電圧を変更することにより前記送風機の速度を制御することを特徴とする請求項２３記載の空気処理装置。
【請求項２５】
前記入力手段は前記ハウジングに取り付けられたコントロールパネルを有することを特徴とする請求項２４記載の空気処理装置。
【請求項２６】
前記入力手段は、さらに、前記制御手段を遠隔操作とするためのリモートコントロールを有することを特徴とする請求項２５記載の空気処理装置。
【請求項２７】
前記定風量回路は、前記ハウジング内の空気圧を感知する圧力検知手段を有することを特徴とする請求項２６記載の空気処理装置。
【請求項２８】
前記定風量回路は、前記送風機の運転電流を感知する運転電流検知手段を有することを特徴とする請求項２７記載の空気処理装置。
【請求項２９】
前記定風量回路は、前記ハウジング内の風速を感知する風速検知手段を有することを特徴とする請求項２８記載の空気処理装置。
【請求項３０】
前記定風量回路は、前記送風機速度を感知する送風機速度検知手段を有することを特徴とする請求項２９記載の空気処理装置。
【請求項３１】
前記定風量回路は、時間経過をモニタリングし記録するモニタリング手段を有することを特徴とする請求項３０記載の空気処理装置。
【請求項３２】
ハウジングと，
該ハウジング内に取り付けられたフィルターと、
前記ハウジング内に取り付けられ、前記フィルターを介して空気を流通させる送風機と、
該送風機の運転をコントロールする制御手段とを有し、
該制御手段は、前記フィルターの状態をモニタリングし、該状態の機能に応じて送風機速度を増加させることにより一定風量を提供する定風量回路有することを特徴とする空気処理装置。
【請求項３３】
前記定風量回路は、前記ハウジング内の空気圧を感知する圧力検知手段を有することを特徴とする請求項３２記載の空気処理装置。
【請求項３４】
前記定風量回路は、前記送風機の運転電流を感知する運転電流検知手段を有することを特徴とする請求項３３記載の空気処理装置。
【請求項３５】
前記定風量回路は、前記ハウジング内の風速を感知する風速検知手段を有することを特徴とする請求項３４記載の空気処理装置。
【請求項３６】
前記定風量回路は、前記送風機速度を感知する送風機速度検知手段を有することを特徴とする請求項３５記載の空気処理装置。
【請求項３７】
前記定風量回路は、時間経過をモニタリングし記録するモニタリング手段を有することを特徴とする請求項３６記載の空気処理装置。
【請求項３８】
吸い込みチャンバと、吹き出しチャンバとを備えた内部空間を形成するとともに、該吹き出しチャンバは上壁と後壁とを備え、該上壁は送風機用開口を形成してなるハウジングと，
前記吸い込みチャンバ内に取り付けられた送風機と、
前記吹き出しチャンバ内に取り付けられ、フィルター面が前記後壁から離れ、かつ、この後壁に面して取り付けられて該後壁との間にプレナム室を形成するフィルターエレメントと、
前記ハウジング内で前記フィルターエレメントを固定するためのリテーナ手段とを有し、
該リテーナ手段は、前記ハウジングに取り付けられ、かつ、前記ハウジングの後壁に弾性的に付勢され、さらに、前記リテーナ手段は、前記フィルターエレメントと係合して前記ハウジング内に前記フィルターエレメントを固定する固定位置と、前記フィルターエレメントと係合せずに前記ハウジングから前記フィルターエレメントを取り外し可能とする開放位置との間で可動であることを特徴とする空気処理装置。
【請求項３９】
前記リテーナ手段は、両端が前記ハウジングに取り付けられた概してＵ字型のワイヤーと、前記リテーナ手段が前記固定位置にある場合に前記フィルターエレメントに係合する十字型部材とを有することを特徴とする請求項３８記載の空気処理装置。
【請求項４０】
前記フィルターエレメントは、第１および第２のＵ字型のワイヤーにより前記ハウジング内に固定され、該両ワイヤーは個別に前記固定位置と前記開放位置との間で可動であることを特徴とする請求項３９記載の空気処理装置。
【請求項４１】
壁を有し空間を形成するハウジングと、
前記空間内に取り付けられて、前記ハウジング内で空気を流通させる送風機と、
前記空間内において前記壁から離れて取り付けられてプレナム室を形成するフィルターと、
前記空間内に前記フィルターエレメントを取り外し可能に固定するリテーナ手段とを有し、
該リテーナ手段は、前記ハウジングに取り付けられ、かつ、前記ハウジングの前記壁に弾性的に付勢され、さらに、前記リテーナ手段は、前記空間内で前記フィルターエレメントと係合して前記フィルターエレメントを固定する固定位置と、前記フィルターエレメントと係合せずに前記ハウジングから前記フィルターエレメントを取り外し可能とする開放位置との間で可動であることを特徴とする空気処理装置。
【請求項４２】
前記ハウジング内は、前記開放位置で前記リテーナ手段を保持する止め具を有することを特徴とする請求項４１記載の空気処理装置。
【請求項４３】
前記ハウジングは、第２の壁を有し、前記リテーナ手段が該第２の壁を介して延びる一対の自由端を有するＵ字型リテーナを備えていることを特徴とする請求項４２記載の空気処理装置。
【請求項４４】
前記リテーナ手段は、該リテーナ手段を前記壁の方へ付勢するために、前記リテーナの自由端に固定されるスプリングを有することを特徴とする請求項４３記載の空気処理装置。
【請求項４５】
前記リテーナ手段は、前記固定位置と前記開放位置との間で、前記リテーナの可動を容易にするために、前記リテーナにタブが取り付けられていることを特徴とする請求項４４記載の空気処理装置。
【請求項４６】
前記ハウジングは前記フィルターを取り付けるための略垂直方向に延びる座面を有し、前記リテーナ手段が固定位置にあるときに、前記フィルターを前記座面に押し付けるように前記リテーナが構成されていることを特徴とする請求項４５記載の空気処理装置。
【請求項４７】
前記リテーナ手段は、第１および第２のリテーナーを備え、該第１および第２のリテーナーが前記フィルターの対向する両端縁に係合するように作用することを特徴とする請求項４６記載の空気処理装置。
【請求項４８】
座面を形成するハウジングと、
前記ハウジング内において前記座面に取り付けられたフィルターと、
前記座面に前記フィルターを押し付けることにより前記ハウジング内に
前記フィルターを選択的に固定するためのリテーナとを有し、
該リテーナは、前記ハウジングに固定されるとともに前記座面に弾性的に付勢され、さらに、前記リテーナは、前記フィルターと係合する固定位置と、前記フィルターと係合しない開放位置との間で可動であることを特徴とする空気処理装置。
【請求項４９】
前記リテーナは、前記ハウジングの壁を介して延びる一対の自由端と、該自由端を前記座面から引き離すように前記リテーナの自由端に固定されたスプリングとを有することを特徴とする請求項４８記載の空気処理装置。
【請求項５０】
前記開放位置で前記リテーナの保持を容易にするための複数の止め具を有することを特徴とする請求項４９記載の空気処理装置。
【請求項５１】
前記フィルターは、上面および底面を有し、前記止め具が、該上面および底面に係合して前記フィルターを前記ハウジング内に支持することを特徴とる請求項５０記載の空気処理装置。
【請求項５２】
吸い込みチャンバと吹き出しチャンバとを形成し、さらに、空気を前記吸い込みチャンバに取り入れる吸い込み口と、空気を前記吹き出しチャンバから放出する吹き出し口とを備えたハウジングと、
前記ハウジング内において、前記吸い込み口から前記吹き出しチャンバへ空気を流通させるように前記ハウジング内に取り付けられた送風機と、
前記吹き出しチャンバ内に取り付けられたフィルターエレメントと、
前記吹き出し口内に取り付けられた吹き出しグリルとを有し、
該吹き出しグリルは、前記吹き出し口から放出する空気の方向を規制する傾斜ラスを有し、さらに、該吹き出しグリルは、第１の方向に空気を吹き出す第１方位と第２の方向に空気を吹き出す第２方位とを有することを特徴とする空気処理装置。
【請求項５３】
前記吹き出しグリルは上部と底部とを備え、前記傾斜ラスが該上部と底部との間に形成されていることを特徴とする請求項５２記載の空気処理装置。
【請求項５４】
前記吹き出しグリルは、前記傾斜ラスを横切って延びる複数の支持リブを有することを特徴とする請求項５３記載の空気処理装置。
【請求項５５】
前記ハウジングは、複数のスロットを有し、前記吹き出しグリルは、該スロットの一つに嵌め込まれて前記グリルの前記方位を維持するタブを有することを特徴とする請求項５４記載の空気処理装置。
【請求項５６】
前記ハウジングは、前記吹き出し口の周囲に対称的に配置された一対のスロットを有し、前記吹き出しグリルは該吹き出しグリルの周囲に対称的に配置されたタブを有し、該吹き出しグリルが前記第１および第２方位に位置する場合に、前記タブが前記スロットの中に嵌め込まれることを特徴とする請求項５５記載の空気処理装置。
【請求項５７】
吹き出し口を備えたハウジングと、
該ハウジング内に取り付けられたフィルターと、
該ハウジング内に取り付けられて、前記フィルターを通して空気を流通させる送風機と、
前記吹き出し口から放出される空気の方向を定めるために前記吹き出し口に取り付けられた吹き出しグリルとを有し、
該吹き出しグリルは、第１の方向に空気を吹き出す第１方位か、第２の方向に空気を吹き出す第２方位かに選択的に取り付けられることを特徴とする空気処理装置。
【請求項５８】
前記吹き出しグリルは、前記吹き出し口を介して放出する空気の方向を定めるための複数の傾斜ラスを有することを特徴とする請求項５７記載の空気処理装置。
【請求項５９】
前記吹き出しグリルは上部と底部とを備え、前記傾斜ラスが該上部と底部との間に形成されていることを特徴とする請求項５８記載の空気処理装置。
【請求項６０】
前記吹き出しグリルは、前記傾斜ラスを横切って延びる複数の支持リブを有することを特徴とする請求項５９記載の空気処理装置。
【請求項６１】
前記ハウジングは、複数のスロットを有し、前記吹き出しグリルは、該スロットの一つに嵌め込まれて前記グリルの前記方位を維持するタブを有することを特徴とする請求項６０記載の空気処理装置。
【請求項６２】
前記ハウジングは、前記吹き出し口の周囲に対称的に配置された一対のスロットを有し、前記吹き出しグリルは、該吹き出しグリルの周囲に対称的に配置されたタブを有し、該吹き出しグリルが前記第１および第２方位に位置する場合に、前記タブが前記スロットの中に嵌め込まれることを特徴とする請求項６１記載の空気処理装置。
【請求項６３】
前記傾斜ラスは、前記吹き出しグリルの前面に対し約３０℃傾斜して横切っていることを特徴とする請求項６２記載の空気処理装置。
【請求項６４】
前記ハウジングは曲った前面を有し、前記吹き出しグリルの前面が該ハウジングの前面に対応して曲がっていることを特徴とする請求項６３記載の空気処理装置。
【請求項６５】
内部空間とブラケット用開口とを形成されたハウジングと、
前記ハウジング内に空気を流通させるために前記空間内に取り付けられた送風機と、
前記ハウジング内に取り付けられたフィルターと、
前記空間内に取り付けられたフィルターエレメントと、
本空気処理装置を壁面に取り付けるための壁掛け手段とを有し、
該壁掛け手段は、前記ブラケット用開口内に嵌め込まれるブラケットを備え、該ブラケットが、前記ブラケット用開口内で、区別できる少なくとも二つの方位に取り付け可能とされ、これにより、前記ハウジングが少なくとも二つの方位で壁面に取り付け可能とされていることを特徴とする空気処理装置。
【請求項６６】
前記ハウジングは、前記ブラケット用開口を取り囲む周壁を有し、前記ブラケットは少なくとも二つの区別される方位で前記周壁と嵌まり合うフランジを有することを特徴とする請求項６５記載の空気処理装置。
【請求項６７】
前記周壁は、第１、第２の凹部を備え、前記フランジが該第１、第２の凹部のうちの一つに受け入れられて、前記ハウジングが前記第１または第２の区別される二つの方位で支持されることを特徴とする請求項６６記載の空気処理装置。
【請求項６８】
前記ブラケットと前記ブラケット用開口は略正方形であって、前記第１凹部が前記周壁の上部に、前記第２凹部が前記周壁の側部に形成されていることを特徴とする請求項６７記載の空気処理装置。
【請求項６９】
前記ブラケットはネジ用ボスを備え、さらに、前記ブラケットは、前記ハウジングの壁を貫通して前記ネジ用ボス内に延びる締結具により、前記ハウジングに固定されることを特徴とする請求項６８記載の空気処理装置。
【請求項７０】
前記ブラケットは該ブラケットから後方へ延びる複数の突起物を備え、該突起物が本空気処理装置を取り付ける壁面に係合するように構成されるとともに、該突起部のうちの少なくとも一つが、本空気処理装置を取り付ける壁面に前記ブラケットを取り付けるための締結具を受け入れ用の孔を有することを特徴とする請求項６９記載の空気処理装置。
【請求項７１】
ハウジングと、
該ハウジング内に取り付けられた送風機と、
該ハウジング内に取り付けられたフィルターと、
上方に延びるフランジと、壁面に固定する取り付け手段とを備えた壁掛け取り付け用ブラケットとを有し、
前記ハウジングが区別される第１および第２の方位で前記ブラケットを嵌合するような寸法に形成したブラケット用開口を有することを特徴とする空気処理装置。
【請求項７２】
前記ブラケット用開口は周壁に取り囲まれ、該周壁は第１および第２の凹部を備え、該第１凹部は前記ハウジングが前記第１方位にある場合に前記フランジを受け入れるように形成され、該第２凹部は前記ハウジングが前記第２方位にある場合に前記フランジを受け入れるように形成されていることを特徴とする請求項７１記載の空気処理装置。
【請求項７３】
前記ブラケットおよび該ブラケット用開口は略正方形であって、前記第１凹部は前記周壁の上部に形成され、前記第２凹部は前記周壁の側部に形成されて、前記第１方位と前記第２方位とが互いに９０度ずれていることを特徴とする請求項７２記載の空気処理装置。
【請求項７４】
前記ブラケットはネジ用ボスを備え、さらに、前記ブラケットは前記ハウジングの後壁を貫通して前記ネジ用ボス内に延びる締結具により前記ハウジングに固定されることを特徴とする請求項７３記載の空気処理装置。
【請求項７５】
前記ブラケットは、該ブラケットの後方へ延びる複数の突起物を備え、該突起物が本空気処理装置を取り付ける壁面に係合するように構成されていることを特徴とする請求項７４記載の空気処理装置。
【請求項７６】
前記突起物のうちの少なくとも一つは、本空気処理装置を取り付ける壁面に前記ブラケットを取り付けるための締結具を受け入れる孔を有することを特徴とする請求項７５記載の空気処理装置。
【請求項７７】
前記ハウジングは、前記第１方位にあるときに垂直方向に取り付けられ、前記第２方位にあるときに水平方向に取り付けられることを特徴とする請求項７６記載の空気処理装置。
【請求項７８】
ブラケット用開口を形成する後壁を備えたハウジングと、
該ハウジング内に収納されたフィルターと、
該ハウジングと該フィルターとを介して空気を流通させるために前記ハウジング内に取り付けられた送風機と、
壁面に前記ハウジングを取り付けるための据え付け用ブラケットと、
該据え付け用ブラケットが、第１方位で前記ハウジングを水平方向に支持し、第２方位で前記ハウジングを垂直方向に支持できるように前記ブラケット用開口に嵌まり合うごとく構成されていることを特徴とする空気処理装置。
【請求項７９】
前記据え付けブラケットは、垂直方向のフランジとを有し、前記後壁は、前記ハウジングが前記水平方向にあるときに該フランジを受け入れる第１凹部と、前記ハウジングが前記垂直方向にあるときに該フランジを受け入れる第２凹部とを有することを特徴とする請求項７８記載の空気処理装置。
【請求項８０】
前記据え付けブラケットは、前記周辺部を有する後壁と該後壁の周囲から延びる周壁とを有し、該周壁は前方に延びて前記ハウジングに係合していることを特徴とする請求項７９記載の空気処理装置。
【請求項８１】
前記据え付け用ブラケットは、該据え付け用ブラケットの後壁から後方へ延びる複数の突起物を有することを特徴とする請求項８０記載の空気処理装置。
【請求項８２】
ハウジングと、
該ハウジング内に収納されたフィルターと、
該ハウジングと該フィルターとを介して空気を流通させるために前記ハウジング内に取り付けられた送風機と、
前記送風機の運転を制御するための制御手段とを有し、
該制御手段は、前記ハウジングに取り付けられたコントロールパネル用ブラケットと該コントロールパネルの背部に取り付けられた赤外線用レシーバとを有し、前記コントロールパネル用ブラケットにより複数のコントロールボタンが支持され、前記赤外線レシーバにより赤外線リモートコントロールからのコントロール信号が受信され、さらに、前記コントロールパネル用ブラケットをフィルターリング材料で形成することにより、該コントロールパネル用ブラケットが前記赤外線レシーバのフィルターリングレンズとして機能することを特徴とする空気処理装置。
【請求項８３】
後壁と底壁とを備えて内部に空間を形成するハウジングと、
該ハウジングを介して空気を流通させるために前記空間内に取り付けられた送風機と、
前記空間内に取り付けられたフィルターエレメントと、
前記底壁に取り付けられた前記ハウジング支持用脚とを有し、
該支持用脚を前記ハウジングの最後尾部より外方に延ばすことにより、前記ハウジングの最後尾部が垂直の壁面に当接しないようにしたことを特徴とする空気処理装置。
【請求項８４】
前記支持用脚は、後側に傾斜した角度で前記ハウジングを支持することを特徴とする請求項８３記載の空気処理装置。
【請求項８５】
前記支持用脚は、前記ハウジングの底壁に着脱可能とされていることを特徴とする請求項８４記載の空気処理装置。
【請求項８６】
前記支持用脚は、前記ハウジングの底壁に対応する形状の上面壁を有することを特徴とする請求項８５記載の空気処理装置。
【請求項８７】
前記ハウジングはスロットを備え、前記支持用脚は該スロットに嵌まり合う据え付け用フランジを備えていることを特徴とする請求項８６記載の空気処理装置。
【請求項８８】
最後尾部と底壁とを備えたハウジングと、
該ハウジング内に取り付けられたフィルターエレメントと、
該フィルターを介して空気を流通させるために前記ハウジング内に取り付けられた送風機と、
前記底壁に取り付けられた前記ハウジング支持用脚とを有し、
該支持用脚は、前記ハウジングを後側に傾斜した角度で支持することを特徴とする空気処理装置。
【請求項８９】
前記ハウジングは後壁を有し、前記支持用脚は、該後壁の一部に係合して該後壁を支持する上面壁を有することを特徴とする請求項８８記載の空気処理装置。
【請求項９０】
前記支持用脚は、前記ハウジングの底壁に取り外し可能に取り付けられていることを特徴とする請求項８９記載の空気処理装置。
【請求項９１】
前記支持用脚は、前記ハウジングの底壁に対応する形状の上面壁を有することを特徴とする請求項９０記載の空気処理装置。
【請求項９２】
前記ハウジングの後壁はスロットを備え、前記支持用脚が該スロットに嵌まり合う据え付け用フランジを備えていることを特徴とする請求項９１記載の空気処理装置。
【請求項９３】
前記支持用脚を前記ハウジングの前記最後尾部より外方に延ばすことにより、前記ハウジングの最後尾部が垂直の壁面に当接することを防止することを特徴とする請求項９２記載の空気処理装置。
【請求項９４】
前記ハウジングに着脱自在に取り付けられた第２支持脚を有することを特徴とする請求項９３記載の空気処理装置。
【発明の詳細な説明】
【技術分野】
【０００１】
本発明は、空気処理装置、より具体的には可搬式室内空気用フィルター装置に関する。
【背景技術】
【０００２】
空気処理装置は近年使用が増加している。この傾向は、健康に対する関心の高まりと非清浄空気に関係するリスクの認識の増加に負うところが大きい。例えば、空気を媒介とする汚染物質は呼吸作用に関連する多くの問題の原因または要因となっている。この問題には、呼吸作用に関連する感染、喘息およびアレルギーが含まれる。更に、空気を媒介とする汚染物質は、不快な臭気を発生する。空気処理装置は、多様なものが使用されているが、従来の空気処理装置には、フィルターを通して空気を流通させる送風機も含まれている。送風機およびフィルターエレメントは、通常単一のハウジングの中に収納されており、フィルターを介して空気を吸い込むかまたは押し込む送風機が配設されている。フィルター特性の異なる多種類のフィルターエレメントが商業的に使用されている。例えば、空気中の粒状物質を除去するために特殊なフィルターが使用されている。従来の粒状物質用フィルターは、空気を通過させるときに粒状物質を捕捉するファイバーグラスやエレクトレット形媒介物のような物質を含む。他の例としては、空気中から臭いを除去するための脱臭フィルターが用いられている。脱臭用フィルターの一例としては、主に吸着作用により空気から汚染物を除去する活性炭素、即ち活性炭がある。
【０００３】
しかしながら、従来の空気処理装置は、多くの問題を投げかけている。先ず第１に、空気処理装置の騒音が大きいという問題がある。空気処理装置の騒音レベルの主な要因は、空気処理装置内を通過する空気通過音と送風機用モータの発する騒音である。送風機の騒音レベルは、より静粛なモータを用いることにより低減することができる。しかしながら、より静粛なモータを用いると空気処理装置のコストが増加する。一方、空気通過音は、空気処理装置内を流動するときの空気速度を低下させることにより低減することができる。これは空気通路を大きくするか、または空気処理装置内を通過する空気量を減少することにより可能となる。しかし、空気通路を大きくすると、より大きなハウジングが必要となり、空気処理装置の全体形状が大きくなる。また、空気量を減少すると空気処理装置の総合効率が低下する。第２に、従来の空気処理装置は、家庭や事務所に持ち込むことが困難であるという問題がある。空気処理装置は、通常許容処理量を確保するために大きくなる。このため、空気処理装置用の場所を確保するのが困難である。また、場所によっては、この空気処理装置を床置きとするのが好ましく、また、他の場所では壁掛けとするのが好ましい。従来の空気処理装置１０は、このような要望に応えられない。第３に、フィルターエレメントは、定期的に交換する必要があるが、消費者はフィルター交換時期を忘れるし、また、この時期を覚えていてもフィルターの交換が難しいという問題がある。
【０００４】
【特許文献１】特開昭４９−７３７７０号公報
【特許文献２】実願昭６２−１８８５４８号（実開平１−９２２２０号）のマイクロフィルム
【特許文献３】実願昭５８−１９２８０号（実開昭５９−１２７７１８号）のマイクロフィルム
【特許文献４】特開平６−２２６１３９号公報
【特許文献５】実願平５−４９６００号（実開平７−２６２１５号）のＣＤ−ＲＯＭ
【特許文献６】実願昭５８−５３４３１号（実開昭５９−１５８９１７号）のマイクロフィルム
【特許文献７】実願昭５５−６８５９７号（実開昭５６−１６８７２８号）のマイクロフィルム
【特許文献８】特開平７−４２９８０号公報
【発明の開示】
【発明が解決しようとする課題】
【０００５】
上記問題は、比較的小さな床面積と比較的小さな騒音を維持しながら比較的大きな容量を備えた空気処理装置を提供する本発明により克服される。
【０００６】
本空気処理装置は垂直方向に延びる吸い込みチャンバと吹き出しチャンバとを積み重ねて形成するハウジングを有する。このように両チャンバを垂直方向に積み重ねることにより、空気処理装置の所要床面積が減少する。吸い込みチャンバには、この吸い込みチャンバから吹き出しチャンバへ空気を流して空気処理装置内で空気を循環させる送風機が収納されている。また、この送風機は、送風機の吸い込み口が空気取り入れ口に間隔を置いて直面するように吸い込みチャンバ内に配置されている。これによりこの空気処理装置の騒音レベルが減少する。また、発泡プレフィルターが吸い込みグリルに取り付けられ、吸い込み空気中の粗い粒状物質を除去しているが、この発泡フィルターは、定期的な洗浄を可能とするために容易に取り外しできるように構成されている。
【０００７】
本発明は、吹き出しチャンバ内に設置される粒状物質用フィルターと脱臭フィルターを含む。二つのフィルターは、空気が漏れないように弾力的に押し付けるリテーナによりハウジング内の所定の位置に確実かつ強固に設置されている。また、これらフィルターは、ハウジングの後壁から離して取り付けられて、プレナム室を形成している。ハウジングの後壁は、送風機の吹き出し口から離れるに従ってプレナム室の断面積を減少するように徐々に曲がっており、これによりフィルター面に一定の空気圧を作用させている。この空気処理装置は、大きな吹き出し口を有し、吹き出し風速を減少して空気処理装置の騒音レベルを低下させている。また、この空気処理装置は、吹き出し口を閉蓋するルーバ式の吹き出しグリルを有する。この吹き出しグリルは、フィルターを隠し、吹き出し空気流の方向を規制する傾斜ラスを有する。また、この吹き出しグリルは、消費者により吹き出し方向を選択できるように変更可能とされている。
【０００８】
本空気処理装置は、床置き、または、壁掛けとして用いられる。また、本空気処理装置は、転倒を防止するために後側に傾斜する取り外し可能な脚を有している。また、この脚は、本空気処理装置が壁に接触するのを防止するために後方に十分延びている。また、本空気処理装置は、本空気処理装置を垂直または水平何れの方向でも壁面に取り付け可能とする壁掛け用の据え付けブラケットと受けとを有する。
【０００９】
また、本空気処理装置は、選択された所定時間大容量の濾過を行い、その後自動的に先のセットに戻る制御装置を有する。また、この制御装置は、フィルターが詰まったときに送風機の回転数を上げて定風量を供給することができる。
【００１０】
本発明のこのような目的、利益および特徴は、好適な実施例についての詳細な説明および図面を参照することにより容易に理解され評価することができる。
【発明を実施するための最良の形態】
【００１１】
次に、本発明の好適な実施の形態を、添付図面を参照しながら説明するが、図中、同一符号は、同一又は対応部分を示すものとする。
【実施例】
【００１２】
好適な実施例による空気処理装置が図１に、特に符号１０により示されている。空気処理装置１０は、床に縦方向に設置されている。しかしながら、後述するように、本空気処理装置を壁に取り付けることもできる。本空気処理装置は、吸い込みグリル１４、吹き出しグリル１６および送風機１８を備えたハウジング１２を有する（図１〜図３参照）。送風機１８は、外部空気を吸い込みグリル１４を介して取り込んでハウジング１２内を循環させ、吹き出しグリル１６から吹き出している。プレフィルター２０、粒状物質用フィルター２２および脱臭用フィルター２４は、空気をハウジング１２内に流通させる空気通路に配置されている。また、本空気処理装置は、電子式制御装置１２２により運転されている。
【００１３】
ハウジング１２は、前部ハウジング２６と後部ハウジング２８を有する。図８および図９に最も良く示されているが、ハウジング１２は、吸い込みチャンバ３０と吹き出しチャンバ３２とを積み重ねて形成している。吸い込みチャンバ３０は、空気処理装置の上方に配置されており、前部ハウジング２６と後部ハウジング２８の上部の協働により形成されている。吹き出しチャンバ３２は、吸い込みチャンバ３０の下方に配置され、主に前部ハウジング２６により形成されている。ハウジング１２の前部ハウジング２６は、大きな略矩形状の吹き出し口３６と小さな略矩形状のパネル開口部１９２とを備えた前壁３４を有する。複数のネジ用ボス部３５が前部および後部ハウジングを相互に固定するために前壁３４から後方へ延設されている。また、前部ハウジング２６は、前壁３４の周縁から後部ハウジング８に至る上壁３８、底壁４０、および左右側壁４２を有する。また、前部ハウジング２６は、チャンバ上壁４４、チャンバ底壁４６、左右のチャンバ側壁４８、およびチャンバ後壁５０を有する。そして、これらチャンバ壁は吹き出しチャンバ３２を形成する。チャンバ上壁４４、チャンバ底壁４６、および左右のチャンバ側壁４８は、前壁３４から吹き出し口３６の周縁に沿って後方に延設され、吹き出しグリル１６を係合するための第１座面５２と粒状物質用フィルター２２を係合するための第２座面５４を形成するように段付きとされている。また、チャンバ上壁４４は、一対の略矩形の送風機用開口６０，６１を形成している。これら開口６０、６１は、送風機１８により空気を吹き出しチャンバ３２に供給することを可能にしている。また、チャンバ上壁４４とチャンバ底壁４６とには、それぞれ後述する開放位置で上下二つのリテーナ１４２をそれぞれ保持するための一対のリテーナ止め具６２が形成されている。また、このリテーナ止め具６２は、フィルター２２，２４を案内支持する。左右の側壁４８には、両リテーナ１４２を受け入れる上下の凹部５６，５８が形成されている。また、チャンバ後壁５０は、曲面に形成されて吹き出しチャンバ３２内の空気の流れをコントロールし、フィルター２２，２４面に一定の空気圧を供給している。
【００１４】
両リテーナ１４２は，粒状物質用フィルター２２と脱臭用フィルター２４とを確実堅固に固定するために吹き出しチャンバ３２内の前部ハウジング２６に取り付けられている。各リテーナ１４２は、フィルター２２，２４を係合して固定する固定位置と、止め具６２に留められて、古いフィルターを新しいフィルターに交換するように開放される開放位置との間で可動に構成されている。図７において、下方のリテーナ１４２は、固定位置が実線で、また、開放位置が破線で示されている。各リテーナ１４２は、略Ｕ字状の針金であって、座面５４を通して延在する自由端１４３と、脱臭用フィルター２４と係合する横断部材１４５とを有する。スプリング１４４は、自由端に嵌められ、スナップリング１４６により固定されている。指タブ１４８は、横断部材１４５の中央部に取り付けられており、各リテーナ１４２の固定位置と開放位置との間での移動を容易にしている。
【００１５】
パネルブラケット１９０は、前壁３４の後方でパネル開口部１９２の背後の位置に取り付けられている。このパネルブラケット１９０は、矩形であって、コントロールパネルの構成機器、即ち、コントロールボタン１６６、ＬＥＤ（図示されていない）、および赤外線レシーバ（図示されていない）を含む、を支持するように機能している。また、パネルブラケット１９０は、従来の赤外線装置に使用されている従来のフィルターリング材料から成型されている。このように構成されていることにより、パネルブラケット１９０は赤外線用フィルタータリング材料として機能する。
【００１６】
ハウジング１２の後部ハウジング２８は、上壁６４、底壁６６、後壁７０、および左右の側壁６８を有する。上壁６４、底壁６６、および左右の側壁６８は、後壁７０の周縁から前方へ延在し、前部ハウジング２６の対応壁に一致する形状とされている。後壁７０は、略平面であって、中央部に位置する据え付けブラケット用開口８０を有する。この開口８０は、略正方形であって、前部ハウジング２６のチャンバ後壁５０の方へ延在して係合する周壁８４により取り囲まれている。この周壁８４には、その上部９１と側部９３とに一対の凹部８８が形成されている。この上部９１の凹部８８には、本空気処理装置を垂直方向に取り付ける際（図１１および１３参照）、据え付けブラケット８２のフランジ９０が受け入れられ、一方、この側部９３の凹部８８には、本空気処理装置を水平方向に取り付ける際（図１２および１４参照）、据え付けブラケット８２のフランジ９０が受け入れられる。また、後壁７０には、周壁８６により取り囲まれたコード収納凹部７４（図２および図１０参照）が形成されている。この周壁８６は、前部ハウジング２６へ延びて係合している。図１０に最も良く表されていると思われるが、電源コード７６は、前部ハウジング２６と後部ハウジング２８との間に形成された収納区画７７に収納される。コード収納凹部７４は収納区画７７の上方部に形成されており、また、このコード収納凹部７４には、ハウジング１２の外部にコードを引き出す開口部７９とコードをその場所に楔止めするためのＶ形ノッチとが形成されている。また、後壁７０には、使用者が指を挿入して本空気処理装置を持ち上げて運ぶことができるように底部が開放され、曲線的に突出する取っ手７２が形成されている。また、後壁７０には、前部ハウジング２６と後部ハウジング２８とを結合するためのネジ用ボス３５に当接するように、前方に延在する複数のネジ用ボス７３が形成されている。
【００１７】
上壁６４と後壁７０とは協働して、吸い込みチャンバ３０に空気を取り込むための一組の開口を成す溝形吸い込みグリル１４を形成している。この吸い込みグリル１４は、空気処理装置の上面から背面にかけて形成されており、空気処理装置が壁面に対向して配置される場合においても十分な空気取り込み量を確保するように構成されている。取り付けスロット（図示しない）は、後述するようにプレフィルター用の取り付けタブ（図示しない）を受け入れるために、吸い込みグリル１４の上端に形成されている。
【００１８】
据え付けブラケット８２は、略正方形であって、据え付けブラケット用開口８０内に嵌め込まれている。このブラケット８２は、ハウジング１２にブラケット８２を固定するためのネジ用ボス９２を有している。また、前述のように、ブラケット８２は、上方に延在する一対のフランジ９０を有する。このフランジ９０は、ハウジング１２の凹部８８内に嵌め込まれ、空気処理装置が壁掛けで取り付けられるときにハウジング１２を堅固に支持する。また、ブラケット８２は、ブラケット８２の四隅に略球形の突起９４を有する。この突起９４は、後方に延びている、また、この突起の最頂部は平坦になっており、壁に当接する面積を大きくしている。また、上方の二つの突起９４は、ブラケット８２を壁に固定するためのネジ孔９６を有する。また、ブラケット８２には、取っ手７２の底部にある開口へのアクセスを容易にするための弓形の逃げ９８が形成されている。
【００１９】
また、空気処理装置１０は、床上に設置される場合にハウジング１２を支持する一対の脚（支持脚）１５０を有する。この脚１５０は、壁掛けでの使用が望まれる場合には取外すことが可能な様に着脱式とされている。図４に最も良く示されているが、脚１５０は、空気処理装置１０が倒れないように後側に傾いた角度でハウジング１２を支持する。また、脚１５０は、ハウジング１２が壁に接触するのを避けるためにハウジング１２の後方に出っ張っている。図３を参照するに、各脚１５０は、受け台を形成する外周側壁とハウジング１２に係合する上面壁１５４とを有する。また、図示されるように、上面壁１５４は、ハウジング１２の底部の形状に合致する輪郭を有するとともに、据え付け用フランジ１５６を有する。このフランジ１５６は、ハウジング１２に形成されたスロット（図示されない）に嵌め込まれる。また、各上面壁１５４には、脚１５０をハウジング１２に取り付けるためにネジを装着するネジ孔（図示されない）が形成されている。
【００２０】
送風機１８は、吸い込みチャンバ３０内においてチャンバ上壁４４に取り付けられている。そして、この送風機１８は、通常の直流モータの両側に取り付けられた遠心羽根車１０８，１１０を有する。また、この送風機１８は、通常のゴム製取り付け台（図示しない）に取り付けられており、送風機１８からハウジング１２への振動の伝達を軽減している。各羽根車１０８，１１０は、吸い込みグリル１４と直交する方向に一つのベルマウス入口１１４，１１６を有するが、この配列により空気処理装置１０の騒音レベルが軽減される。また，各羽根車１０８，１１０は、それぞれが送風機用開口６０，６１に連通する単一の吹き出しダクト１１８，１２０を有する。送風機１８は後述するように外部の電子制御装置１２２により制御されている。
【００２１】
前述のように、プレフィルター２０は、吸い込みグリル１４に取り付けられて、吸い込みチャンバ３０に入る空気中の比較的粗い粒状物を除去している。そして、このように比較的粗い粒状物を除去することにより、プレフィルター２０は、送風機１８を保護し、粒状物質用フィルター２２および脱臭用フィルター２４の寿命を延ばしている。また、プレフィルター２０は、高分子材料からなる支持体１０２に固定された洗浄可能な発泡剤を有する。この支持体１０２は、吸い込みチャンバ３０に空気を取り込むことができるように多数の通気孔１０４を有する。この通気孔１０４は、吸い込みグリル用開口７１に対応して垂直方向に配設されているのが好ましい。支持体１０２には、上端に延在する折り曲げ片１０６が形成されている。この折り曲げ片１０６は、吸い込みグリル１４からプレフィルター２０を取り外すときに役立つ。また、支持体１０２には、吸い込みグリル１４にプレフィルター２０を固定するために据え付けスロット（図示しない）内に嵌め込まれる据え付けタブ（図示しない）が設けられている。
【００２２】
粒状物質用フィルター２２は、空気中の微粒子を除去するために吹き出しチャンバ３２内に取り付けられている。この粒状物質用フィルター２２は、チャンバ後壁７０から離れた位置にある座面５４に密着されている。これにより、粒状物質用フィルター２２とチャンバ後壁７０との間にプレナム室７０が形成される。粒状物質用フィルター２２は、略矩形であって、通常の打ち抜き板紙フレームを有する。濾過媒体は、溶融ポリプロピレン媒体が好ましいが、電気式のもの、ガラス繊維のもの、あるいは他の在来のものに置き換えても良い。粒状物質用フィルター２２は、プラスチックメッシュのような保護カバー１２６を有し、濾過媒体が損傷するのを防止している。また、粒状物質用フィルター２２は、通常の接着剤により粒状物質用フィルター２２の背部に固定される連続気泡ガスケット１２８を有する。このガスケット１２８は、粒状物質用フィルター２２と座面５４との間に圧縮されて粒状物質用フィルター２２に密接されている。
【００２３】
脱臭用フィルター２４は、粒状物質用フィルター２２に隣接して吹き出しチャンバ３２内に取り付けられている。また、この脱臭用フィルター２４は、通常矩形であって、粒状物質用フィルター２２とほぼ同じ大きさとされている。また、この脱臭用フィルター２４は、打ち抜き板紙製フレーム１３０と、活性炭濾過剤（図示されていない）と、脱臭用フィルター２４から炭化ごみが脱落するのを防止するための保護スクリム１３２とを有する。活性炭は支持基質に加えられ顆粒状としてハニカム式支持体内に含まれるのが好ましい。
【００２４】
吹き出しグリル１６は、通常矩形であって、空気処理装置１０から排出される空気の方向を変える複数の傾斜ラス１３６を備えた外周フレーム１３４を有する。また、支持リブ１３８が吹き出しグリル１６を補強するために傾斜ラス間に形成されている。また、一対のタブ１４０が外周フレーム１３４の上部と底部において後方に延設されている。このタブ１４０は、ハウジング１２のスロット（図示しない）に嵌め込まれて、所定位置に吹き出しグリル１６を固定している。また、このタブ１４０とスロットは、吹き出しグリル１６を逆方向に取り付けて、空気処理装置１０からの吹き出し空気の方向を逆方向にできるように構成されている。
【００２５】
制御装置
前述のように、本空気処理装置１０は、電子制御装置１２２により運転される。この制御装置１２２は、吸い込みチャンバ３０内のチャンバ上壁４４に取り付けられている。そして、この制御装置１２２は、送風機１８の運転を制御する従来同様の直流電動機制御回路（図示しない）、粒状物質用フィルター２２および脱臭用フィルター２４の寿命をモニタリングする従来同様のタイミング記憶制御回路（図示しない）、電源が切れたときにフィルタ−データを貯蔵している従来同様の不揮発性メモリ（例えば、ＥＰＲＯＭ）（図示しない）、所望の運転パラメータをユーザが選択できる従来同様の入力回路を有している。そして、ユーザは、ハウジング１２の正面に取り付けられたコントロールパネル１６４またはワイヤレスコントロールパネル１６０（図１５参照）を操作することにより本空気処理装置を運転する。コントロールパネル１６４およびコントロールパネル１６０はそれぞれ複数のコントロールボタン１６６，１６２を有する。コントロールパネル１６４の正面に現れる全ての情報は、空気処理装置１０が垂直方向または水平方向の何れの方向に取り付けられても読めるように約４５℃の角度に印字される。図示されていないが、コントロールパネル１６４は、モータ速度を表示する複数のモータ速度ＬＥＤ、自動停止される前の残存時間を表示する複数のタイマＬＥＤ、空気処理装置１０がターボモードにあることを表示する２色ターボＬＥＤ、粒状物質用フィルター２２と脱臭用フィルター２４の状態を表示する複数のフィルターＬＥＤを有する。前述のように、コントロールパネル１６４の構成機器は、パネルブラケット１９０に取り付けられている。また、制御装置１２２は、赤外線リモートコントロール１６０からの指令信号を受け取るための従来同様の赤外線レシーバ（図示しない）、コントロールパネルのボタン１６６またはリモートコントロールのボタン１６２が押されたとき可聴応答する従来と同様のアナンシエータを有する。
【００２６】
制御装置１２２は手動またはタイマ操作することができる。本空気処理装置１０を手動運転する場合は、電源ボタンを手動で操作することによりオンオフされる。また、本空気処理装置１０をタイマ運転するときは、指定された時間運転して自動的に停止する。所望時間を指定するには、種々のオプションでサイクルさせるためタイマボタンを反復器に操作する。タイマＬＥＤは、自動的に停止される前の残存時間を視覚的に表示する。好適な本実施例において、本空気処理装置１０は、２，４，８，１２時間の期間を提供する。
【００２７】
更に、ユーザは、ボタン操作により「高」、「中」、「低」のモータ速度を選択することができる。スピードボタンが操作されたときは何時でも、制御回路はモータ１１２への指令電圧を変更してモータ速度を調整する。モータ速度ＬＥＤは、選択されたモータ速度を視覚的に表示する。
【００２８】
また、制御装置１２２は、送風機１８が超高速で運転されるターボモードを有している。このターボモードは、（１）一時的運転、（２）タイマ運転、および、（３）連続運転の三つのモードで運転される。一時的運転の場合、送風機１８は所定時間、好ましくは３０分運転される。そして、所定時間が経過すると、前の運転モードに戻る。この一時的運転モードを選択するには、ターボボタンを一度押せば良い。２色ターボＬＥＤは琥珀色に変わって、空気処理装置１０が一時的ターボモードであることを表示する。次にタイマ運転の場合は、送風機１８は所定時間超高速で運転された後、空気処理装置１０が停止される。このタイマ運転モードは、ターボボタンを一度押し、所定時間を選択するためにタイマボタンを反復的に押すことにより選択される。２色ターボＬＥＤは、緑色に変わり、該当するタイマＬＥＤがタイマ運転中点灯する。最後に、連続運転モードの場合は、送風機１８は、空気処理装置１０が手動操作で停止されるまで連続的に超高速で運転される。尚、この連続運転モードは、ターボボタンを少なくとも３秒間押圧保持することにより選択される。また、２色ターボＬＥＤが緑色に変わり、タイマーＬＥＤが消灯して、空気処理装置１０が連続運転モードで運転されていることが表示される。
【００２９】
制御装置１２２は、粒状物質用フィルター２２と脱臭用フィルター２４の状態を監視しいており、何れか一方のフィルターの交換が必要になった場合にこれを視覚的に表示する。また、制御装置１２２は、フィルター２２，２４が空気処理装置内に設置されてからの時間（フィルター年齢）とフィルター２２，２４が取り付けられた状態下での空気処理装置１０の運転時間（フィルター寿命）とを記録している。このデータは、各フィルター毎の年齢および寿命データとして維持される。また、このデータは、電源が切れた場合に不揮発性記録に移行する。コントロールパネル１６６は、フィルター２２，２４用の二つのＬＥＤを有する。第１のＬＥＤは、フィルターの交換の必要が無いときに緑色に点灯している。第２のＬＥＤは、２色ＬＥＤであって、フィルター寿命が終末に近づいたときに（例えば、２週間）琥珀色となり、フィルターの寿命を過ぎた場合に赤色で瞬く。フィルター寿命またはフィルター年齢の何れか一方の累積時間が最大許容時間を超過または最大許容時間に接近した場合に、該当するフィルターＬＥＤが輝く。フィルターが交換された場合は、ユーザが該当リセットボタンを押すことにより、フィルター年齢またはフィルター寿命に対応するレジスタがリセットされる。
【００３０】
また、制御装置１２２は、粒状物質用フィルター２２の全ライフサイクルを通じて空気処理装置１０から一定風量を提供する定風量制御回路を有する。一般的に、所定モータ速度における空気処理装置１０の吹き出し風量は、時間が経って粒状物質用フィルター２２が粒状物質で詰まったときに減少する。定風量制御回路は、フィルターの状態を監視し自動的にこれを補償するように送風機の速度を増加する。なお、フィルター状態を監視するために種々の装置や技術が用いられている。第１は、フィルターの状態を、空気処理装置１０内で粒状物質用フィルター２２が用いられる時間（フィルター寿命）のみにより決定される。第２に、空気処理装置１０に、プレナム室の圧力変化を感知する従来同様の圧力センサを設ける。フィルターが詰まると、所定電圧の下ではプレナム室の圧力が上昇する。第３に、空気処理装置１０に送風機用モータの運転電流を測定する従来同様の電流センサを設ける。フィルターが詰まると、送風機の風量が減少し、送風機の負荷が減少する。従って、所定電圧の下では，負荷が減って送風機の運転電流が減少する。第４に、空気処理装置１０に、送風機用モータの回転数を測定する従来同様の回転数ゲージを設ける。フィルターが詰まると、所定電圧の下では送風機の風量が減少し回転数が増加する。第５に、空気処理装置１０に吹き出し風速を測定する従来同様の風速センサを設ける。フィルターが詰まると、所定電圧の下では吹き出し風速が減少する。
【００３１】
また、前述のように、空気処理装置１０は、バッテリー駆動としたり、赤外線リモートコントロール１６０により遠隔操作とすることができる。このリモートコントロール１６０は、図１５に示されたような従来公知の物であって、空気処理装置１０の全ての運転操作ができるように複数のコントロールボタンを１６２を有する。リモートコントロール１６０のデザインおよびレイアウトは、ユーザが２種類のレイアウトを好まないことから、コントロールパッドのデザインおよびレイアウトに合致するように形成されている。従来公知の赤外線レシーバ（図示しない）が、リモートコントロール１６０からの制御信号を受けるためにコントロールパネルに配置されている。
【００３２】
組み立ておよび据え付け
空気処理装置１０は、従来公知の技術および装置により組み立ておよび据え付けが行われる。前部ハウジング２６、後部ハウジング２８、吹き出しグリル１６、据え付けブラケット８２、脚（支持用脚）１５０は高分子材料を使って斜出成型される。パネルブラケット１９０は、赤外線を透過する種々の従来公知の材料から形成される。送風機１８、制御回路１２２、リテーナ１４２、パネルブラケット１９０、コントロールパネル構成機器は、二つのハウジング２６および２８が接合される前に、製造されて前部ハウジング２６に取り付けられる。そして、これら構成部品が取り付けられてから、前部ハウジング２６と後部ハウジング２８とがネジ用ボス３５および７３を通して延びるネジにより結合される。更に、チャンバ後壁５０が複数のネジ（図示しない）により後壁７０に取り付けられてハウジング１２を補強し、壁掛け取り付けに必要な剛性が提供される。壁掛け据え付け用ブラケット８２が、チャンバ後壁５０を介してネジ用ボス９２に延びるネジ９３により据え付けブラケット用開口８０内に取り付けられる。
【００３３】
空気処理装置１０は、床に設置することもできるし（図１参照）、壁面に設置することもできる（図１１，１２参照）。空気処理装置１０を床状に設置する場合は、脚１５０がハウジング１２の底部に取り付けられる。脚１５０は、ハウジング１２の後部ハウジング２８の対応スロット（図示しない）にタブ１５６を挿入し、ハウジング１２の後部ハウジング２８のネジ用ボス（図示しない）にネジ孔１５８を介してネジ止めすることにより据え付けられる。また、空気処理装置１０を壁掛けにする場合は、脚１５０は取り付けられない。その代わり、据え付けブラケット８２がハウジング１２から取り外され、上方に延びるフランジ９０とともに壁の所望の位置に固定される。そして、ハウジング１２が、水平方向（図１２）または垂直方向（図１１）何れかの方向にして、ブラケット８２に引っかけられる。空気処理装置１０を垂直方向に取り付ける場合は、周壁８４の上部９１にある凹部８８がフランジ９０に嵌め込まれる（図１３参照）。また、空気処理装置１０を水平方向に取り付ける場合は、周壁８４の右側部９３にある凹部８８がフランジ９０に嵌め込まれる（図１４参照）。そして、ハウジング１２がチャンバ後壁５０を介してネジ用ボス９２にネジ９３をねじ込むことによりブラケット８２に固定される。
【００３４】
種々のフィルターが従来公知の技術と装置を使用して製造されている。プレフィルター２０は、在来の接着剤を用いて斜出成型支持部材１０２に連続気泡フォーム１００を固定することにより組み立てられている。フォームガスケット１２８は、在来の接着剤を用いて粒状物質用フィルター２２の後側に固定されている。プレフィルター２０は、支持部材１０２からハウジング１２に形成された据え付けスロット（図示しない）の中に、据え付け支持部材１０２から延びる据え付けタブ（図示しない）を挿入することにより、ハウジング１２内に取り付けられる。粒状物質用フィルター２２と脱臭用フィルター２４は、リテーナ１４２を開放位置へ移動させ止め具６２に引っかけることにより設置される。次に、粒状物質用フィルター２２は、後方に向けたフォームガスケット１２８とともに吹き出しチャンバ３２内に挿入される。このガスケット１２８は、座面５４と係合して粒状物質用フィルター２２周囲のシールを形成する。そして、脱臭用フィルター２４が、粒状物質用フィルター２２に対向して吹き出しチャンバ３２内に挿入される。そして、リテーナ１４２が、止め具６２から引っ張られて固定位置に移動され、脱臭用フィルター２４の上下端縁に固定される（図５参照）。何故ならば、リテーナ１４２は、ハウジング１２の後方に向けて弾性的に付勢されている。そして、粒状物質用フィルター２２および脱臭用フィルター２４を所定位置に確実堅固に固定している。そして、吹き出しグリル１６は、ハウジング１２の対応スロットの中にタブ１４０を嵌め込むことにより吹き出し口３６に固定される。吹き出しグリル１６は、これらフィルターを隠蔽するとともに保護し、さらに、空気処理装置１０の吹き出し方向を定める。また、この吹き出しグリル１６の取り付け方向はリバーシブルであって、ユーザはこれを変更することにより風向を選択することができる。
【００３５】
空気処理装置１０は運転中外部空気を機内に循環させている。送風機１８は、吸い込みチャンバ３０から吸い込み口１１４，１１６を介して空気を吸い込み、ダクト１１８，１２０を介して吹き出しチャンバ３２へ送り込んでいる。また、送風機１８により空気を吸い込みチャンバ３０から空気を取り込むとき、新しい空気は吸い込みグリル１４およびプレフィルター２０を介して取り込まれる。そして、プレフィルター２０が粗い粒状物質を除去する。送風機１８が吹き出しチャンバ３２の後方に形成されたプレナム室１８０へ空気を送りこむ。このプレナム室１８０は、吹き出しチャンバ３２の後壁と粒状物質用フィルター２２の後面とにより形成されている。チャンバ後壁５０は曲面に形成され、プレナム室の断面積を送風機用開口６０，６１から離れるに従い減少するように構成されている。これにより、粒状物質用フィルター２２面に作用する空気圧を一定に保持している。プレナム室に圧力が掛けられることにより、粒状物質用フィルター２２および脱臭用フィルター２４を通して空気が送り出される。そして、吹き出しグリル１６を介して空気処理装置１０から空気が吹き出される。
【００３６】
制御装置１２２は、粒状物質用フィルター２２と脱臭用フィルター２４の状態を監視している。前述のように、何れかのフィルターを交換しなければならなくなると、該当フィルターＬＥＤが瞬く。粒状物質用フィルター２２および脱臭用フィルター２４の交換については、図５および図６に基づき記述するが、先ず最初に、吹き出しグリル１６を吹き出し口１６から取り外す。次に、図５の矢印のように、リテーナ１４２を外方に引っ張っり回転させてフィルター２４から引き離して、開放位置に移動させる。このリテーナ１４２は、止め具６２により開放位置に保持される。その後、図６に示されるように、使い古しのフィルターを吹き出しチャンバ３２から取り外す。そして、新しいフィルターを古いフィルターの位置に挿入し、リテーナ１４２を固定位置に戻す。そして、吹き出しグリル１６を取り付けることにより作業が完了する。この新しいフィルターの年齢および寿命は、該当リセットボタンを約３秒間押しつづけることによりリセットされる。
【００３７】
以上の記述は、本発明の好適な実施例に関してのものであるが、添付特許請求の範囲に記載された発明の精神および広範囲の局面から離れることなく種々の代替案や変更案を創出することは可能である。尚、この添付特許請求の範囲は、均等の原理を含む特許法の原理に基づいて解釈されるべきである。
【図面の簡単な説明】
【００３８】
【図１】床に設置した本空気処理装置の斜視図である。
【図２】プレフィルターを取り外した状態の本空気処理装置の後部の斜視図である。
【図３】一部を取り外した状態の空気処理装置の分解斜視図であって、送風機と制御装置を示す。
【図４】床に設置された空気処理装置の側面図である。
【図５】吹き出しグリルと固定位置にあるリテーナとを有する空気処理装置の斜視図である。
【図６】吹き出しグリルと開放位置にあるリテーナとを有する空気処理装置の斜視図である。
【図７】吹き出しグリルが除去され、リテーナが固定位置にある空気処理装置の斜視図である。
【図８】空気処理装置の側断面図である。
【図９】図８における空気処理装置のＩＸ−ＩＸ線断面図である。
【図１０】本空気処理装置の後部の斜視図であって、コード収納部分が示されている。
【図１１】壁面に垂直方向に取り付けられた本空気処理装置の斜視図である。
【図１２】壁面に水平方向に取り付けられた本空気処理装置の斜視図である
【図１３】垂直方向に取り付けられた空気処理装置の側面図である。
【図１４】水平方向に取り付けられた空気処理装置の側面図である。
【図１５】ワイヤレスコントロールパネルの拡大斜視図である。
【符号の説明】
【００３９】
１２    ハウジング
１８    送風機
２０，２２，２４  フィルター
１２２  制御手段
【図１】
2006035220.tif 000003
【図２】
2006035220.tif 000004
【図３】
2006035220.tif 000005
【図４】
2006035220.tif 000006
【図５】
2006035220.tif 000007
【図６】
2006035220.tif 000008
【図７】
2006035220.tif 000009
【図８】
2006035220.tif 000010
【図９】
2006035220.tif 000011
【図１０】
2006035220.tif 000012
【図１１】
2006035220.tif 000013
【図１２】
2006035220.tif 000014
【図１３】
2006035220.tif 000015
【図１４】
2006035220.tif 000016
【図１５】
2006035220.tif 000017
【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
ハウジングと、
該ハウジング内に取り付けられたフィルターと、
前記ハウジング内に取り付けられ、前記フィルターを介して空気を流通させる送風機と
、
フィルタリング運転の幾つかの通常運転モードの内の一つで前記送風機の運転をコント
ロールする制御手段とを有し、
該制御手段は、時間の経過を記録するタイミング回路と、幾つかの通常送風機速度の内
の一つで前記送風機の運転をコントロールする送風機速度制御回路とを有し、
さらに、該制御手段は、前記フィルタリング運転の幾つかの通常運転モードの内の一つ
及び前記幾つかの通常送風機速度の内の一つの選択を許容する入力手段を有し、
該制御手段は、選択された通常運転モード及び幾つかの通常送風機速度の内から選択さ
れた送風機速度で前記送風機を運転する現状運転モードを有し、
さらに、該制御装置は、一つのボタン操作で、所定時間中、幾つかある前記通常送風機
速度の何れよりも速い最大速度で前記送風機を運転させ、時間経過後に元の前記現状運転
モードに戻すターボモードを備えていることを特徴とする空気処理装置。
【請求項２】
前記制御手段は、前記フィルターの状態を監視し、この状態に応じ送風機の速度を増加
することにより該フィルターの全寿命を通じ一定風量を提供することを特徴とする請求項
１記載の空気処理装置。
【請求項３】
前記送風機は直流モータを有し、前記制御手段は、該モータに供給される指令電圧を変
更することにより前記送風機の速度を制御することを特徴とする請求項２記載の空気処理
装置。
【請求項４】
前記入力手段は前記ハウジングに取り付けられたコントロールパネルを有することを特
徴とする請求項３記載の空気処理装置。
【請求項５】
前記入力手段は、さらに、前記制御手段を遠隔操作とするためのリモートコントロール
を有することを特徴とする請求項４記載の空気処理装置。
【請求項６】
前記定風量回路は、前記ハウジング内の空気圧を感知する圧力検知手段を有することを
特徴とする請求項５記載の空気処理装置。
【請求項７】
前記定風量回路は、前記送風機の運転電流を感知する運転電流検知手段を有することを
特徴とする請求項６記載の空気処理装置。
【請求項８】
前記定風量回路は、前記ハウジング内の風速を感知する風速検知手段を有することを特
徴とする請求項７記載の空気処理装置。
【請求項９】
前記定風量回路は、前記送風機速度を感知する送風機速度検知手段を有することを特徴
とする請求項８記載の空気処理装置。
【請求項１０】
前記定風量回路は、時間経過をモニタリングし記録するモニタリング手段を有すること
を特徴とする請求項９記載の空気処理装置。